(57)【特許請求の範囲】
【請求項１】
放送番組を記録する記録部を備えた記録装置と、前記記録装置での放送番組の記録予約を行うリモートコントロール装置とで構成される番組予約システムにおいて、
前記記録装置の記録部に予約登録されている番組の記録を全て実行した場合に必要となる登録済み予約の必要記録容量を算出し、前記記録部の残記録可能容量から前記登録済み予約の必要記録容量を減算した登録済み予約実行後の残記録可能容量を計算する残容量計算部と、
仮予約する番組の記録モードと記録時間と前記残記録可能容量から、前記仮予約する番組の予約可否判定を行うことによって、仮予約した番組が、登録済みの予約した番組と重複する時間である場合に同時間帯で記録可能な同時記録可能数から同時記録の追加予約可否を判定した結果、前記仮予約の実行に必要な仮予約必要記録容量及び前記登録済み予約実行後の残記録可能容量を比較して全ての予約を実行した場合における予約可否を判定した結果、並びに前記残記録可能容量及び前記記録モードの平均記録ビットレートを基に計算した前記記録モードごとに記録可能な残記録可能時間の全てまたはいずれかを、仮予約に応じて出力される仮予約コマンド、又は本予約に応じて出力される予約コマンドの応答メッセージに含め、前記応答メッセージを表示部に表示させる予約可否判定部とを備え、
前記記録部に前記放送番組を仮予約及び本予約するために必要なパラメータを前記予約可否判定部から取得し、前記パラメータを含む前記仮予約コマンドを前記予約可否判定部に送出し、前記仮予約コマンドの応答メッセージによる本予約の可否を表示部に表示させ、本予約が可能であれば、前記パラメータを含む前記予約コマンドを前記予約可否判定部に送出し、
前記残容量計算部は、前記仮予約コマンドより、前記仮予約された番組ごとの記録時間及び記録モードから前記仮予約の実行に必要な仮予約必要記録容量を算出し、前記残記録可能容量から前記仮予約必要記録容量の総和を減算した仮予約実行後の残記録可能容量を計算し、前記仮予約実行後の残記録可能容量を前記表示部に表示させ、仮予約が可能である場合に、前記表示部に表示する仮予約を促す情報の表示を、本予約を促す情報の表示に変える
番組予約システム。
【請求項２】
請求項１記載の番組予約システムにおいて、
前記予約可否判定部は、前記仮予約必要記録容量と、登録済みの予約を全て実行した場合に必要となる登録済み予約必要記録容量と仮予約必要記録容量を前記記録部の残記録可能容量から減算して得られた全予約実行後の残記録可能容量と、前記登録済み予約の必要記録容量とのうち、少なくとも１つ以上の値を前記仮予約コマンド又は予約コマンドの応答メッセージに含める
番組予約システム。
【請求項３】
請求項１又は２記載の番組予約システムにおいて、
前記予約可否判定部は、前記仮予約コマンドの応答メッセージとして、仮予約する番組の放送日時と日時情報を保持するカレンダ時計部から取得した日時情報を比較し、予約設定が可能な範囲を超えた予約であった場合に、予約不可であることを前記仮予約コマンド又は予約コマンドの応答メッセージに含める
番組予約システム。
【請求項４】
請求項３記載の番組予約システムにおいて、
前記仮予約コマンドを仮予約リクエスト部から前記記録装置に送出し、前記予約コマンドを送出するまでの間又は前記仮予約コマンドを前記記録装置に送出した後の所定時間が経過するまでの間、他の操作部からの予約操作を受け付けない
番組予約システム。
【請求項５】
請求項１〜４のいずれか１項に記載の番組予約システムにおいて、
前記仮予約コマンドのパラメータに、記録月日の開始時間と、記録月日の終了時間と、記録する番組のチャンネルと、記録モード、前記放送する番組を特定する識別コード、記録月日の開始／終了時間と、記録する放送の周波数と、記録方式のうち、少なくとも一つ以上の組合せを含む
番組予約システム。
【請求項６】
放送番組を記録する記録部を備えて、記録する放送番組の予約設定が可能な記録装置において、
前記記録部に予約登録されている番組の記録を全て実行した場合に必要となる登録済み予約の必要記録容量を算出し、前記記録部の残記録可能容量から前記登録済み予約の必要記録容量を減算した登録済み予約実行後の残記録可能容量を計算する残容量計算部と、
仮予約する番組の記録モード及び記録時間及び前記残記録可能容量から、前記仮予約する番組の予約可否判定を行うことによって、仮予約した番組が、登録済みの予約した番組と重複する時間である場合に同時間帯で記録可能な同時記録可能数から同時記録の追加予約可否を判定した結果、前記仮予約の実行に必要な仮予約必要記録容量及び前記登録済み予約実行後の残記録可能容量を比較して全ての予約を実行した場合における予約可否を判定した結果、並びに前記残記録可能容量及び前記記録モードの平均記録ビットレートを基に計算した前記記録モードごとに記録可能な残記録可能時間の全てまたはいずれかを、仮予約に応じて出力される仮予約コマンド、又は本予約に応じて出力される仮予約コマンド又は予約コマンドの応答メッセージに含め、前記応答メッセージを表示部に表示させる予約可否判定部とを備え、
前記記録部に前記放送番組を仮予約及び本予約するために必要なパラメータを前記予約可否判定部から取得し、前記パラメータを含む前記仮予約コマンドを前記予約可否判定部に送出し、前記仮予約コマンドの応答メッセージとして、本予約の可否を表示部に表示させ、予約可能であれば、前記パラメータを含む前記予約コマンドを前記予約可否判定部に送出し、
前記残容量計算部は、前記仮予約コマンドより、前記仮予約された番組ごとの記録時間及び記録モードから前記仮予約の実行に必要な仮予約必要記録容量を算出し、前記残記録可能容量から前記仮予約必要記録容量の総和を減算した仮予約実行後の残記録可能容量を計算し、前記仮予約実行後の残記録可能容量を前記表示部に表示させ、仮予約が可能である場合に、前記表示部に表示する仮予約を促す情報の表示を、本予約を促す情報の表示に変える
記録装置。
【請求項７】
記録装置が備える記録部に予約登録されている番組の記録を全て実行した場合に必要となる登録済み予約の必要記録容量を算出し、前記記録部の残記録可能容量から前記登録済み予約の必要記録容量を減算した登録済み予約実行後の残記録可能容量を計算する残容量計算部と、
仮予約する番組の記録モード及び記録時間及び前記残記録可能容量から、前記仮予約する番組の予約可否判定を行うことによって、仮予約した番組が、登録済みの予約した番組と重複する時間である場合に同時間帯で記録可能な同時記録可能数から同時記録の追加予約可否を判定した結果、前記仮予約の実行に必要な仮予約必要記録容量及び前記登録済み予約実行後の残記録可能容量を比較して全ての予約を実行した場合における予約可否を判定した結果、並びに前記残記録可能容量及び前記記録モードの平均記録ビットレートを基に計算した前記記録モードごとに記録可能な残記録可能時間の全てまたはいずれかを、仮予約に応じて出力される仮予約コマンド、又は本予約に応じて出力される仮予約コマンド又は予約コマンドの応答メッセージに含め、前記応答メッセージを表示部に表示させる予約可否判定部とを備え、
前記記録部に放送番組を仮予約及び本予約するために必要なパラメータを前記予約可否判定部から取得し、前記パラメータを含む前記仮予約コマンドを前記予約可否判定部に送出し、前記仮予約コマンドの応答メッセージによる本予約の可否を表示部に表示させ、本予約が可能であれば、前記パラメータを含む前記予約コマンドを前記予約可否判定部に送出し、
前記残容量計算部は、前記仮予約コマンドより、前記仮予約された番組ごとの記録時間及び記録モードから前記仮予約の実行に必要な仮予約必要記録容量を算出し、前記残記録可能容量から前記仮予約必要記録容量の総和を減算した仮予約実行後の残記録可能容量を計算し、前記仮予約実行後の残記録可能容量を前記表示部に表示させ、仮予約が可能である場合に、前記表示部に表示する仮予約を促す情報の表示を、本予約を促す情報の表示に変える記録装置に対して、
前記記録部の残記録可能容量に基づいて得られた仮予約する番組の予約可否判定情報を取得して、予約の可否を表示させ、予約可能であれば、予約コマンドを前記予約可否判定部に送出し、予約設定する予約部を備えた
リモートコントロール装置。
【発明の詳細な説明】
【技術分野】
【０００１】
本発明は、例えば番組の録画予約を行う場合に、番組情報を取り込んで適切な予約操作を行い、番組を記録することが可能な番組予約システム、コンテンツを記録可能な記録装置及び制御信号を伝送して番組を録画予約設定することが可能なリモートコントロール装置に関する。
【背景技術】
【０００２】
近年、情報化技術の進展に伴い、家庭内の複数の電子機器をＬＡＮ（Local Area Network）等のネットワークで相互接続し、電子機器間で情報を共有、制御する技術が用いられるようになってきた。
【０００３】
テレビジョン放送を記録可能な記録装置として、大容量の記録媒体であるＨＤＤ（Hard Disk Drive）レコーダが実用化されている。ＨＤＤレコーダの記録容量は数百ギガバイトにも達するため、番組を長時間で録画することが可能である。また、ランダムでの検索性能も優れているため、広く家庭内に普及し始めている。
【０００４】
ここで、番組の記録開始時間を指定するタイマ予約設定を行う事で、指定したコンテンツの録画や録音を行う事が可能な番組予約システムがある。このような番組予約システムを用いるときには、通常、リモートコントロール装置をＨＤＤレコーダ等の予約対象機器に対向させて、予約対象機器本体に備えてある表示部や、予約対象機器が出力するユーザインタフェース画面を表示するテレビジョン受像機等の表示装置を見ながらタイマ予約設定を行う。しかしながら、これらの表示部や表示装置が見えない位置から、タイマ予約設定を行う場合もある。この場合、片方向制御のみに対応したリモートコントロール装置を使う番組予約システムでは、リモートコントロール装置に備えた表示部に番組予約画面を表示させてタイマ予約設定に必要な予約開始時間、予約終了時間、予約コンテンツ指定（テレビを録画する場合はチャンネル番号）、記録方式の指定（記録画質の指定）等の予約パラメータを設定する。その後、これらの予約パラメータを予約対象機器に送信することでタイマ予約設定を行うようにしていた。
【０００５】
一方、予約対象機器との双方向通信が可能なリモートコントロール装置を使って番組予約を行う番組予約システムがある。このような番組予約システムを用いるときに、リモートコントロール装置の表示画面上でタイマ予約設定に必要な予約パラメータを設定して予約対象機器に送信する。予約対象機器では受信した予約パラメータと予約対象機器自身が保持している情報を比較し、予約可否の判定条件に基づいて予約可否を決定する。
＜予約対象機器における予約可否の判定条件の例＞
ここで、予約可否の判定には、以下のような条件を用いる。
・予約パラメータのフォーマットが規定と異なる。
・予約パラメータの予約開始時間または予約終了時間が予約可能な範囲を超えている。
・予約パラメータの予約コンテンツ指定が対応できないコンテンツになっている。
・既に同じ日時に予約設定があり、同時記録可能数を超えている。
・記録媒体の残容量不足のため、指定された予約を完遂出来ない可能性がある。
【０００６】
予約が可能な場合は、番組の予約日及び記録開始時間及び記録終了時間及び記録モードを予約リストとして予約対象機器に予約登録してリモートコントロール装置に予約成功の応答を返す。一方、予約が不可能な場合はリモートコントロール装置に予約失敗の応答を返す。このようにして、リモートコントロール装置の表示画面上で予約の可否を表示し、予約を判断するようにしていた。
【０００７】
特許文献１には、ネットワーク接続された録画予約機能を備えた情報処理装置間の動作を連携させて、予約記録の設定操作を行うための技術についての記載がある。
【０００８】
特許文献２には、２以上の情報処理装置間における動作をホームネットワーク経由で好適に連携させることにより、別々の場所に設定されている各機器における録画予約操作を行うための技術についての記載がある。
【特許文献１】特開２００５−２４４３７２号公報（図１）
【特許文献２】特開２００５−２４４５７６号公報（図１）
【発明の開示】
【発明が解決しようとする課題】
【０００９】
ところで、従来用いられてきた番組予約を行うための技術では、ユーザがリモートコントロール装置で予約パラメータの設定を行っている時点において、予約の可否を判断する事ができなかった。また、双方向通信が可能なリモートコントロール装置を使うシステムにおいても全ての予約パラメータを設定し、予約パラメータを送信して予約対象機器からの応答を受信するまで予約の可否を確認する事が出来なかった。
【００１０】
このため、予約設定の途中では、その予約が有効であるかどうかをユーザは判断することができない。この結果、予約設定した後で、予約ができないことが判明する可能性があった。この場合、再度別の予約パラメータにより予約を設定し直さなければならないため、ユーザにとって二度手間となっており、効率的な予約設定操作が望まれていた。
【００１１】
本発明はこのような状況に鑑みて成されたものであり、予約設定中に予約可否判定を行い、適切な予約設定を行えるようにすることを目的とする。
【課題を解決するための手段】
【００１２】
本発明は、放送番組を記録する記録部を備えた記録装置と、記録装置での放送番組の記録予約を行うリモートコントロール装置とで構成される場合において、記録装置の記録部に予約登録されている番組の記録を全て実行した場合に必要となる登録済み予約の必要記録容量を算出し、前記記録部の残記録可能容量から前記登録済み予約の必要記録容量を減算した登録済み予約実行後の残記録可能容量を計算する残容量計算部と、仮予約する番組の記録モードと記録時間と残記録可能容量から、仮予約する番組の予約可否判定を行うことによって、仮予約した番組が、登録済みの予約した番組と重複する時間である場合に同時間帯で記録可能な同時記録可能数から同時記録の追加予約可否を判定した結果、前記仮予約の実行に必要な仮予約必要記録容量及び前記登録済み予約実行後の残記録可能容量を比較して全ての予約を実行した場合における予約可否を判定した結果、並びに前記残記録可能容量及び前記記録モードの平均記録ビットレートを基に計算した前記記録モードごとに記録可能な残記録可能時間の全てまたはいずれかを、仮予約に応じて出力される仮予約コマンド、又は本予約に応じて出力される予約コマンドの応答メッセージに含め、前記応答メッセージを表示部に表示させる予約可否判定部とを備え、記録部に放送番組を仮予約及び本予約するために必要なパラメータを予約可否判定部から取得し、パラメータを含む仮予約コマンドを予約可否判定部に送出し、仮予約コマンドの応答メッセージによる本予約の可否を表示部に表示させ、本予約が可能であれば、パラメータを含む予約コマンドを予約可否判定部に送出し、残容量計算部は、仮予約コマンドより、仮予約された番組ごとの記録時間及び記録モードから仮予約の実行に必要な仮予約必要記録容量を算出し、残記録可能容量から仮予約必要記録容量の総和を減算した仮予約実行後の残記録可能容量を計算し、仮予約実行後の残記録可能容量を前記表示部に表示させ、仮予約が可能である場合に、前記表示部に表示する仮予約を促す情報の表示を、本予約を促す情報の表示に変えるものである。
【００１３】
このようにしたことで、録画予約画面に入力する仮予約パラメータの設定が終了した時点で、仮予約コマンドを予約対象機器に送信し、予約対象機器からの応答メッセージを確認することで、録画予約画面で設定している仮予約パラメータでの応答メッセージを表示させることが可能となった。
【発明の効果】
【００１４】
本発明によれば、録画予約画面に入力する仮予約パラメータの設定が終了した時点で、仮予約コマンドを予約対象機器に送信し、予約対象機器からの応答メッセージを確認することで、録画予約画面で設定している仮予約パラメータでの応答メッセージとして予約の可否、記録方式毎の予約可否、各記録方式で記録した結果に残る記録媒体の残容量などの情報を表示することができるため、最適な予約パラメータを効率的に設定する事が可能になる。
【発明を実施するための最良の形態】
【００１５】
以下、本発明の一実施の形態を、添付図面を参照して説明する。本実施の形態では、ＨＤＤレコーダとリモートコントロール装置とを相互にネットワーク接続してあり、ＨＤＤレコーダの残容量から、録画予約実行後に録画可能な時間をリモートコントロール装置に表示させることで適切な記録モードを設定して番組の録画予約を行うことができる番組予約システムを例に説明する。
【００１６】
まず、本例の番組予約システムの構成例について、図１を参照して説明する。大容量の記録媒体としてハードディスクドライブ１６を備えるＨＤＤレコーダ１と、ＨＤＤレコーダ１を遠隔制御すると共に、ＨＤＤレコーダ１の記録状況と、各予約の予約日、開始時間、終了時間、チャンネル、記録モード等で構成される予約リストを受信可能なリモートコントロール装置２が、ネットワーク回線６によりネットワークを構築してあり、双方向通信可能である。このように構成したシステムを番組予約システム１００としている。ＨＤＤレコーダ１は、ネットワーク回線６を経由してリモートコントロール装置２へ録画関連情報の提供を行う機能を有する。また、リモートコントロール装置２は、ネットワーク経由でＨＤＤレコーダ１に対して予約設定を行う事が可能である。リモートコントロール装置２は、ＨＤＤレコーダ１から取得した録画関連情報を録画予約画面として表示するする表示部２１を備えており、録画予約画面から録画予約設定を行うことができる。
【００１７】
ＨＤＤレコーダ１は、図示しないアンテナからテレビジョン放送電波を受信し、選局や同調操作を行うチューナ１８で希望する放送局を選局する。そして、選局した映像・音声信号をエンコード処理を施すエンコード部１９に供給する。所定の記録モード（例えば、高画質、標準、長時間のいずれか）でエンコードされた映像・音声信号は、ハードディスクドライブ１６に記録される。映像・音声信号を記録する際には、ハードディスクドライブ１６に記録可能な空き容量が必要であり、これを残記録容量と称する。また、複数のチューナを備えることで同時間帯に複数の番組を記録することが可能であり、記録可能な番組数を同時記録可能数と称する。また、記録モードごとに記録時のビットレートは異なっており、ビットレートが高いほど、高画質で記録可能である。そして、記録した番組の記録モードごとに平均ビットレートを記録するようにしている。平均ビットレートはＤＶＤレコーダ１の記録履歴から求めた平均値または、記録モード毎に妥当な値を固定値で記録してある。
【００１８】
ＨＤＤレコーダ１に備えてあるハードディスクドライブ１６には、現在の残記録容量、同時間帯で記録可能な同時記録可能数、各記録モードの平均ビットレートを記録するコンテンツ管理部１６ａと、ユーザが録画予約を設定した予約リストの情報を記録する予約リスト管理部１６ｂが構築してある。操作キー、ボタンを備えた操作部１２からのユーザ操作、あるいはリモートコントロール装置２からのネットワークインタフェース部１４を介したユーザ操作より、ＨＤＤレコーダ１内の各部を制御するマイクロコンピュータ１３は、所定の処理を実行する。また、ＨＤＤレコーダ１には、日付、時刻を設定してあるカレンダ時計部１７が設けてありマイクロコンピュータ１３に日時情報を供給して、番組の予約、録画等が可能となる。メモリ１５には、例えば書換え可能なＲＡＭ（Random Access Memory）を用いて、一時的にデータを保存する。また、メモリ１５には、例えば読出しのみ可能なＲＯＭ（Read Only Memory）を用いてあり、処理プログラム、パラメータ、操作キーに対応するコード等が記憶してある。マイクロコンピュータ１３は、メモリ１５より処理プログラム等を読出し、実行し、実行結果を液晶ディスプレイパネルを備えた表示部１１に表示したり、図示しないテレビジョン受像機に画面表示させるためネットワークインタフェース部１４に映像信号、あるいはハードディスクドライブ１６に記録した番組をデコードし、映像・音声信号を出力したりする。
【００１９】
リモートコントロール装置２は、ＨＤＤレコーダ１に対して所定の制御信号を伝送することでＨＤＤレコーダ１を遠隔操作可能である。操作部２２内の各キーから入力されたキーコードは、リモートコントロール装置２の内部制御を行なうマイクロコンピュータ２３に供給される。メモリ２５には、例えば、書換え可能なＲＡＭを用いて、一時的にデータを保存する。また、メモリ２５には、例えば、読出しのみ可能なＲＯＭを用いて、処理プログラム、パラメータ、操作キーに対応するコード等が記憶してある。マイクロコンピュータ２３は、メモリ２５より処理プログラム等を読出し、実行し、ネットワークインタフェース部２４に所定のリモートコントロール信号を供給する。また、ネットワークインタフェース部２４では、ＨＤＤレコーダ１からの受信信号を復調処理して、マイクロコンピュータ２３に供給する。マイクロコンピュータ２３は、ＨＤＤレコーダから各種の録画予約情報を受信し、液晶ディスプレイパネルで表示可能な表示部２１に録画関連情報を録画予約画面として表示するよう制御する。
【００２０】
次に、本例の番組予約システム１００の機能上から見た構成例について、図２を参照して説明する。
【００２１】
まず、予約設定に必要な設定項目、選択できるパラメータ等を予約パラメータリストと称し、この予約パラメータリストをＨＤＤレコーダ１から取得する。このとき、リモートコントロール装置２からＨＤＤレコーダ１に対して予約パラメータリストのリクエストコマンドを作成する予約パラメータリスト取得部２３ａが、リクエストコマンドを送出すると、ネットワークインタフェース部１４を経由してＨＤＤレコーダ１に予約パラメータリストのリクエストを行う。そして、ＨＤＤレコーダ１では、ネットワークインタフェース部２４を経由して、ハードディスクドライブの残記録容量と予約した番組の必要記録容量とから予約可否を判断する予約可否判定部１３ｂがリクエストコマンドを受信する。予約可否判定部１３ｂは、予約リスト管理部１６ｂから予約パラメータリストを取得し、予約パラメータリストの応答メッセージを作成する。そして、ネットワークインタフェース部２４を経由してリモートコントロール装置２に予約パラメータリストの応答メッセージを送出する。
【００２２】
ここで、予約可否判定部１３ｂからの仮予約コマンド又は後述する予約コマンドの応答メッセージには、残記録可能容量及び記録モードの平均記録ビットレートを基に計算した、記録モードごとに記録可能な残記録可能時間、または、カレンダ時計部から取得した日時情報を比較し、予約設定が可能な範囲を超えた予約であった場合に、予約不可である情報、または、仮予約した番組が、登録済みの予約した番組と重複する時間である場合、同時間帯で記録可能な同時記録可能数から、同時記録の追加予約可否を判定した結果を含める。
【００２３】
リモートコントロール装置２では、予約パラメータリストの応答メッセージをネットワークインタフェース部１４を経由して予約パラメータ取得部２３ａが受信する。そして、本例の表示部２１、操作部２２の機能を有する予約設定表示／入力部２３ｂにリクエストコマンドの応答メッセージを送出する。こうして、得られた予約パラメータリストより、予約設定表示／入力部２３ｂで録画予約画面を表示させる。
【００２４】
本例では、録画予約画面での設定項目として録画月日、録画開始時刻、録画終了時刻、録画するチャンネル、記録モードを必要とする。そして、各設定項目で設定可能なパラメータの値は、録画月日は本日から７日後まで、録画開始時刻は現時刻から７日後まで、録画終了時刻は録画開始時刻から現時刻の７日後まで、チャンネルは１〜１２まで、記録モードは高画質、標準、長時間のいずれかのモードについて、仮予約設定情報として設定する。本例のＨＤＤレコーダ１において、対応可能な記録モードはコーデックや解像度の違いにより決められた「高画質（ＨＱ：High Quality）」、「標準（ＳＰ：Standard Play）」、「長時間（ＬＰ：Long Play）」の３通りとしている。
【００２５】
録画予約画面でユーザが項目を入力し、「予約確認」ボタンを押下すると、仮予約設定情報が、仮予約のリクエストコマンドを作成する仮予約リクエスト部２３ｃに送出される。そして、仮予約リクエスト部２３ｃで作成した仮予約コマンドをネットワークインタフェース部１４を経由してＨＤＤレコーダ１に送出する。仮予約コマンドのパラメータには、記録月日の開始時間又は記録月日の終了時間又は記録する番組のチャンネル又は記録モードのうち、少なくとも一つ以上の組合せを含むようにしている。また、放送する番組を特定する識別コードを含むようにしている。そして、ＨＤＤレコーダ１では、ネットワークインタフェース部２４を経由して予約可否判定部１３ｂが仮予約コマンドを受信する。予約可否判定部１３ｂでは、カレンダ時計部１７から取得した日時情報や、録画パラメータとして設定可能な値の範囲の情報、予約リスト管理部１６ｂから取得した予約設定済みの予約リストを基に予約の可否を判定する。そして、予約可否判定部１３ｂは、仮予約コマンドの応答メッセージを作成する。
【００２６】
予約が不可能な場合は、ネットワークインタフェース部２４を経由してリモートコントロール装置２に仮予約コマンドの応答メッセージを送出する。リモートコントロール装置２では、仮予約コマンドの応答メッセージをネットワークインタフェース部１４を経由して仮予約リクエスト部２３ｃが受信する。仮予約リクエスト部２３ｃは、仮予約コマンドの応答メッセージから仮予約ステータスを作成し、予約設定表示／入力部２３ｂに仮予約ステータスを送出する。こうして、得られた仮予約ステータスより、予約設定表示／入力部２３ｂで録画予約画面に予約が不可能な理由を表示する。予約が不可能な理由として、例えば録画予約画面で設定したパラメータが設定可能な値の範囲外であったり、予約で必要となるハードディスクドライブの記録容量が残記録容量を超過するため記録ができなくなったりする場合がある。このようなとき、それぞれの場合に応じて予約が不可能であることを示すメッセージを録画予約画面に表示する。
【００２７】
予約が可能な場合は、ＨＤＤレコーダ１のコンテンツ管理部１６ａから取得した残記録容量、予約リスト管理部１６ｂから取得した設定済みの予約リストを基に、ＨＤＤレコーダ１の残記録可能容量、残録画可能時間を計算する残容量計算部１３ａにて、予約実行後の残記録可能容量または残録画可能時間を計算する。残容量計算部１３ａの計算結果は、予約可否判定部１３ｂに送られる。そして、予約可否判定部１３ｂは、仮予約コマンドから得られた予想残容量または残録画可能時間の応答メッセージを作成する。そして、ネットワークインタフェース部２４を経由してリモートコントロール装置２に仮予約コマンドの応答メッセージを送出する。
【００２８】
リモートコントロール装置２では、仮予約コマンドの応答メッセージをネットワークインタフェース部１４を経由して仮予約リクエスト部２３ｃが受信する。仮予約リクエスト部２３ｃは、仮予約コマンドの応答メッセージから仮予約ステータスを作成し、予約設定表示／入力部２３ｂにリクエストコマンドの応答メッセージを送出する。こうして、得られた応答メッセージより、予約設定表示／入力部２３ｂで録画予約画面に予想残容量または残録画可能時間を表示させる。
【００２９】
仮予約設定で予約可能であれば、録画予約画面の「予約確認」ボタンは、「予約」ボタンに表示が変化し、本予約の設定を行うことができるようになる。仮予約と同様に、ユーザが項目を入力すると、予約設定情報が、予約のリクエストコマンドを作成する予約リクエスト部２３ｄに送出される。そして、予約リクエスト部２３ｄで作成した予約コマンドをネットワークインタフェース部１４を経由してＨＤＤレコーダ１に送出する。そして、ＨＤＤレコーダ１では、ネットワークインタフェース部２４を経由して予約可否判定部１３ｂが予約コマンドを受信する。予約可否判定部１３ｂでは、カレンダ時計部１７から取得した日時情報や、録画パラメータとして設定可能な値の範囲の情報、予約リスト管理部１６ｂから取得した予約設定済みの予約リストを基に予約の可否を判定する。予約が可能な場合は予約リスト管理部１６ｂに予約を登録する。そして、予約可否判定部１３ｂは、予約コマンドの応答メッセージを作成する。予約が不可能な場合は、予約不可の応答メッセージをリモートコントロール装置２に返す。
【００３０】
リモートコントロール装置２では、予約コマンドの応答メッセージをネットワークインタフェース部１４を経由して予約リクエスト部２３ｄが受信する。予約リクエスト部２３ｄは、予約コマンドの応答メッセージから予約ステータスを作成し、予約設定表示／入力部２３ｂにリクエストコマンドの応答メッセージを送出する。こうして、仮予約で記録可否を予め判定し、その結果を受けて本予約を行うことが可能となった。
【００３１】
次に、番組情報を取得し、リモートコントロール装置２に番組の予約実行後に録画可能な時間を画面に表示する処理について、図３を参照して説明する。図３は、リモートコントロール装置２の表示部２１に録画予約画面を表示する処理の例を示したシーケンス図である。
【００３２】
まず、予約設定操作を行うために、ユーザがリモートコントロール装置２を録画予約画面に切替えると、予約設定に必要な設定項目や、選択できる予約パラメータリストをＨＤＤレコーダ１にリクエストする（ステップＳＴ１）。そして、ＨＤＤレコーダ１からリモートコントロール装置２に、応答メッセージとして予約パラメータリストを取得する（ステップＳＴ２）。
【００３３】
リモートコントロール装置２は、表示部２１に取得した予約パラメータリストを基に、設定項目や選択可能なパラメータを録画予約画面に表示する（ステップＳＴ３）。本例の録画予約画面には、録画月日、録画開始時刻、録画終了時刻、録画するチャンネル、記録モードについて各項目名が入力欄と共に表示される。
【００３４】
次に、ユーザがリモートコントロール装置２の録画予約画面で録画月日、録画開始時刻、録画終了時刻、録画するチャンネル、記録モードを仮予約情報として入力し、「予約確認」ボタンを押下する（ステップＳＴ４）。本例での押下操作は、ボタンをカーソル等で選択決定するものである。そして、ユーザが入力した仮予約情報を仮予約コマンドとしてＨＤＤレコーダ１に送信する。なお、「予約確認」ボタンを押下しなくても、録画開始時刻、録画終了時刻、記録モードが分かればＨＤＤレコーダ１で録画予約実行時の記録容量が計算できるため、項目を入力すると自動的に仮予約コマンドを作成して、ＨＤＤレコーダ１に送信することも出来る。
【００３５】
ＨＤＤレコーダ１の予約可否判定部１３ｂは、受信した仮予約コマンドのパラメータを取得し、録画月日、録画開始時刻、録画終了時刻を、ＨＤＤレコーダ１内のカレンダ時計部１７と比較して予約設定可能な範囲であるかどうかを判定する。また、チャンネル、記録モードについても設定可能な値であるかどうかを判定する（ステップＳＴ５）。そして、予約設定可能な範囲内でない場合は予約不可と判定し、リモートコントロール装置２に予約不可である理由メッセージも付加した応答メッセージを返す。ここで、予約設定できない場合とは、既に番組が放送されたにも関わらず、その番組に対して予約設定を行ったり、例えば、現在から２週間以内とした予約設定可能な範囲以外（例えば、３週間後）に予約設定を行ったりすることである。
【００３６】
ここで、ＨＤＤレコーダ１は仮予約コマンドを受信することで、リモートコントロール装置２が録画予約操作を行っている事を認識する。これにより、所定時間、または予約コマンドをリモートコントロール装置２から受信するまでの間は、他のリモートコントロール装置やＨＤＤレコーダ１本体のユーザインタフェースを用いた予約設定を禁止する排他制御を行う。さらに、リモートコントロール装置２は、ＨＤＤレコーダ１からの仮予約コマンドに対する応答メッセージを受信すると、予約設定を行っているリモートコントロール装置２以外の操作機器による予約操作を、ＨＤＤレコーダ１が受け付けない事を示すためのアイコンを表示部２１に表示する。
【００３７】
予約設定可能な範囲内である場合は、ＨＤＤレコーダ１に既に予約されている予約リストを基に、重複する日時に予約が存在するか確認する（ステップＳＴ６）。予約が重複しており、追加の予約設定が不可能である場合は、予約不可としてリモートコントロール装置２に応答を返す。また、重複していても同時に複数の録画が可能な場合は、同時に録画可能な数を超えない事を確認して、追加の予約設定を行う。ただし、同時録画可能数を超えてしまう場合も同様に予約不可と判定し、リモートコントロール装置２に予約不可である理由メッセージも付加した応答メッセージを返す。
【００３８】
次に、仮予約実行後におけるＨＤＤレコーダ１の残記録容量の予測値を、以下の計算式によりＨＤＤレコーダ１で計算する（ステップＳＴ７）。
仮予約の録画時間＝（予約終了時刻）−（予約開始時刻）
仮予約の必要記録容量＝（仮予約の録画時間）×（指定記録モードの平均ビットレート）
仮予約実行後の残記録容量＝（記録媒体の残容量）−（仮予約の必要記録容量）
【００３９】
次に、仮予約実行後におけるＨＤＤレコーダ１の残記録容量を基に、各記録モードで記録可能な予想時間を下記の計算式で計算する。
高画質モードの記録可能時間＝（仮予約実行後の残記録容量）／（高画質モードの平均ビットレート）
標準モードの記録可能時間＝（仮予約実行後の残記録容量）／（標準モードの平均ビットレート）
長時間モードの記録可能時間＝（仮予約実行後の残記録容量）／（長時間モードの平均ビットレート）
【００４０】
次に、ＨＤＤレコーダ１からリモートコントロール装置２への計算した以下の値を応答メッセージとして返す（ステップＳＴ８）。
・仮予約実行後の残記録容量
・仮予約実行後の記録モードごとの予想記録可能時間
【００４１】
リモートコントロール装置２はＨＤＤレコーダ１から予約不可の応答を受信した場合、録画予約画面のメッセージエリアに予約不可の理由を表示する。また、仮予約実行後の残記録容量がマイナスの値であった場合は予約不可と判断し、メッセージエリアに残容量不足の旨のメッセージを表示する。予約可能な場合は、録画可能時間表示エリアに各記録モードの残録画可能予測時間を表示する（ステップＳＴ９）。
【００４２】
ユーザが予約可能な値の予約設定を行う（ステップＳＴ１０）と、「予約確認」ボタンから「予約」ボタンにアイコンが変化する。予約ボタンを押下すると予約コマンドをＨＤＤレコーダ１に送り（ステップＳＴ１１）、ＨＤＤレコーダ１では予約の可否を確認後に予約設定が完了する（ステップＳＴ１２）。リモートコントロール装置２では予約設定完了の応答を受信したら予約設定完了画面へ遷移して予約設定操作を完了する。
【００４３】
次に、リモートコントロール装置２の表示部２１に表示させる録画予約画面の表示例について、図４〜図７を参照して説明する。図４は、仮予約を行う場合の録画予約画面の表示例である。図５は、ハードディスクドライブ１６の容量構成例である。図６は、仮予約時における予約不可のエラーメッセージ表示例である。図７は、予約を行う場合の録画予約画面の表示例である。図７は、仮予約を行った結果、予約実行後に録画可能な時間を表示する例である。なお、図６と図７において、図４に対応する部分には同一符号を付す。
【００４４】
図３のステップＳＴ１で予約設定操作を開始すると、予約パラメータリストをＨＤＤレコーダ１から取得し、図４に示す仮予約を行う場合の録画予約画面が表示部２１に表示される。ここで、録画予約画面には、録画月日を表す月日２１ａ、録画開始時刻〜録画終了時刻を表す時刻２１ｂ、録画するチャンネルを表すチャンネル２１ｃ、記録モードを表す記録モード２１ｄと、ＨＤＤレコーダ１からの予約不可の応答メッセージを表示するメッセージエリア２１ｅ、予約可能である場合に、記録モードごとに録画可能な時間を表示する録画可能時間表示エリア２１ｆ、コマンドの送信指示を行うボタン２１ｇ、予約設定中であることを表示するメッセージエリア２１ｉが表示される。本例では、録画月日が１月１日、録画時刻が１０時００分〜１０時５８分、チャンネルが１０チャンネル、記録モードが高画質としてある。そして、仮予約として予約確認２１ｇを押下することで、仮予約コマンドをＨＤＤレコーダ１に送出する。そして、仮予約、本予約でボタン２１ｇの表示名称が変更される。ボタン２１ｇは、仮予約では「予約確認」、本予約では「予約」と表示される。
【００４５】
図５より、ハードディスクドライブ１６の総容量１６０に対して、既に何らかの番組が記録された記録済み容量１６１を減ずると、記録可能な容量として残記録可能容量１６５が得られる。ここで、残容量計算部１３ａは、予約登録されている番組の記録を全て実行した場合に必要となる登録済み予約の必要記録容量１６２を算出する。さらに、残記録可能容量１６５から登録済み予約の必要記録容量１６２を減じた登録済み予約実行後の残記録可能容量１６４を算出する。そして、予約可否判定部１３ｂは、仮予約の実行に必要な仮予約必要記録容量１６３と、登録済み予約実行後の残記録可能容量１６４とを比較して、全ての予約を実行した場合の予約可否を判定する。この予約可否判定結果は、仮予約コマンド又は予約コマンドの応答メッセージに含めるようにする。
【００４６】
仮予約コマンドより、ＨＤＤレコーダ１では、図３のステップＳＴ５，６で説明した録画月日／開始・終了日時、チャンネル、記録モードと重複予約の確認を行い、予約不可である場合は、その理由を応答メッセージに付加してリモートコントロール装置２に送出する。このとき、図６より、メッセージエリア２１ｅには、「予約設定できません  記録容量が不足しています」と表示される。また、図示しないが、例えば重複予約が不可である場合、メッセージエリア２１ｅには、「予約設定できません  同時記録可能数が超過しています」と表示される。仮予約が不可である場合、ユーザは再度項目に値を入れなおして予約操作を行う。なお、仮予約中は、ＨＤＤレコーダ１に対して他の機器からの操作を受け付けないように排他制御がかかるため、予約完了まで、あるいは所定時間だけメッセージエリア２１ｉに、「排他制御中」と表示される。
【００４７】
仮予約の結果、予約可能であれば図７に示すように、予約実行後に記録モードごとに録画可能な時間が録画可能時間表示エリア２１ｆに表示される。本例では、録画可能な時間として、高画質モードでは１時間３５分、標準モードでは３時間１０分、長時間モードでは６時間２０分であることが分かる。ボタン２１ｇは、「予約」に変更され、ユーザがボタン２１ｇを押下すると、予約が確定する。なお、この時点でもＨＤＤレコーダ１に対して他の機器からの操作を受け付けないように排他制御がかかるため、メッセージエリア２１ｉには、「排他制御中」と表示される。
【００４８】
このようにして、録画予約時に、まず仮予約をして予約可否を判定し、予約不可であれば適切な値に再設定して予約を行うことが可能となった。
【００４９】
本発明の実施の形態によれば、双方向通信可能なリモートコントロール装置２からＨＤＤレコーダ１に対して予約設定を行う場合に、全ての予約設定項目を入力せずとも、所定の項目を入力した時点で予約設定の可否を判別する事ができる。このとき、予約を実行した結果の残記録容量や残記録可能時間を確認する事ができるため、ユーザは適切な予約パラメータを設定しなおして予約を行える。このため、効率的に予約設定値の調整を行う事ができるという効果がある。
【００５０】
また、残記録可能容量や残記録可能時間の計算をＨＤＤレコーダ１が行う事により、ＨＤＤレコーダ１本体の録画可否判断や残記録容量、残記録可能時間の計算結果にずれが生じることがない。このため、リモートコントロール装置２の録画可能時間表示エリア２１ｆには、具体的な数値が示されるため、ユーザは番組と記録モードの設定ごとに変化する値から適切な予約設定を行うことが可能となるという効果がある。
【００５１】
なお、上述した実施の形態では、仮予約実行後の残記録容量と記録モードごとの残記録可能時間をＨＤＤレコーダ１で計算し、結果をリモートコントロール装置２に送出するようにしたが、他にも様々な値を計算してリモートコントロール装置２で表示させることが可能である。例えば、登録済みの予約が全て行われた場合を想定し、さらに仮予約の予約実行が行われた場合の残記録容量を基に計算する処理も可能である。この場合、ＨＤＤレコーダ１は、以下の計算式を用いて計算を行う。ここで、登録済み予約を既予約と称する。
既予約の必要記録容量＝（予約リストの各予約における必要記録容量の総和）
既予約と仮予約実行後の残記録容量＝（仮予約実行後の残記録容量）―（既予約の必要記録容量）
高画質モードの記録可能時間＝（既予約と仮予約実行後の残記録容量）／（高画質モードの平均ビットレート）
標準モードの記録可能時間＝（既予約と仮予約実行後の残記録容量）／（標準モードの平均ビットレート）
長時間モードの記録可能時間＝（既予約と仮予約実行後の残記録容量）／（長時間モードの平均ビットレート）
【００５２】
このとき、ＨＤＤレコーダ１からリモートコントロール装置２へ計算した値を応答メッセージとして返す。このとき、録画予約画面の録画可能時間表示エリア２１ｆに、登録済みの全予約情報と予約を実行した場合における各記録モードの残録画可能予測時間を表示する。この場合、図８の録画予約（残記録容量と予想記録可能時間）画面の表示例に示すように値が表示される。なお、図８において、図４に対応する部分には同一符号を付す。図８より、録画予約画面には以下の値が表示されることが分かる。
・仮予約実行後の残記録容量
・既予約と仮予約実行後の各記録モード毎の予想記録可能時間
【００５３】
また、仮予約に必要な記録容量と仮予約実行後の残容量をリモートコントロール装置２への応答として返す処理も可能である。このときも、ＨＤＤレコーダ１で計算した結果をリモートコントロール装置２へ応答メッセージとして返す。このとき、録画予約画面の録画可能時間表示エリア２１ｆに、登録済みの全予約情報と予約を実行した場合における各記録モードの残録画可能予測時間を表示する。この場合におけるハードディスクドライブ１６の容量構成例を図９を参照して説明する。ここで、図９（ａ）は、登録済み予約がない場合のハードディスクドライブ１６の容量構成例である。図９（ｂ）は、登録済み予約がある場合のハードディスクドライブ１６の容量構成例である。なお、図９において、図５に対応する部分には同一符号を付す。
【００５４】
まず、図９（ａ）より、登録済み予約がない場合には、予約可否判定部１３ｂは、ハードディスクドライブ１６の残記録可能容量１６５から仮予約必要記録容量１６３を減算して得られた仮予約実行後の残記録可能容量１６６を算出する。一方、登録済み予約がある場合には、図９（ｂ）より、登録済み予約の必要記録容量１６２を考慮してそれぞれの容量を算出する。予約可否判定部１３ｂは、登録済みの予約を全て実行した場合に必要となる登録済み予約の必要記録容量１６２と仮予約必要記録容量１６３をハードディスクドライブ１６の残記録可能容量１６５から減算して得られた全予約実行後の残記録可能容量１６７を算出する。そして、仮予約実行後の残記録可能容量１６６と、仮予約必要記録容量１６３と、全予約実行後の残記録可能容量１６７と、登録済み予約必要記録容量１６２とのうち、少なくとも１つ以上の値を仮予約コマンド又は予約コマンドの応答メッセージに含めるようにする。
【００５５】
この場合、図１０の録画予約（録画可能容量）画面の表示例に示すように値が表示される。なお、図１０において、図４に対応する部分には同一符号を付す。図１０より、録画予約画面には以下の値のうち、少なくとも１つ以上の値を表示させるようにする。ここでは、「登録済み予約」を「本予約」と称し、「記録」を「録画」とも称する。
・現在の録画可能容量（残記録可能容量１６５）
・予約に必要な記録容量（登録済み予約必要記録容量１６２）
・仮予約に必要な記録容量１６３
・仮予約実行後の残記録可能容量１６６
・本予約実行後の録画可能容量（残記録可能容量１６５−登録済み予約の必要記録容量１６２）
・全予約実行後の録画可能容量（全予約実行後の残記録可能容量１６７）
【００５６】
また、録画可能時間表示エリア２１ｆには、録画可能容量、録画可能時間等について一部の値のみを表示するようにしてもよい。このとき、リモートコントロール装置で表示させたい値を任意に選択可能としてもよい。また、仮予約を設定した場合に、記録可能容量が不足するため、残記録容量がマイナスの値となった場合、マイナスの残記録容量または記録必要時間の値と共に予約不可のメッセージを返すことで、マイナスの値を録画可能時間表示エリア２１ｆに表示するようにしてもよい。こうすることで、具体的にどれだけの記録容量が不足しているかを把握することができ、残記録容量に予約番組が収まるように適切な記録モードで予約を再設定することができる。あるいは、このような場合、ユーザは既に録画した番組を消去することで記録可能容量を復元させることができる。
【００５７】
また、同日同時刻に重複予約を行う場合、重複する日時に複数の番組を予約可能であるかどうかについては予約対象機器によって様々な判断処理が想定される。このため、本実施の形態と一致しない判断処理を採用している予約対象機器の場合は、その予約対象機器の判断基準により応答メッセージを返すようにする。
【００５８】
また、上述した実施の形態では、ネットワーク経由で通信を行う機能を持つＨＤＤレコーダ１と、ネットワーク回線３経由でＨＤＤレコーダ１に対して予約設定を行う事が可能なリモートコントロール装置２について説明したが、このような構成に限定する物ではなく、リモートコントロール装置２から事前に予約設定を行う事でコンテンツの録画や録音を行うことが可能な番組予約システムに適用してもよい。また、リモートコントロール装置として例えば、携帯電話端末、ＰＤＡ（Personal Digital(Data) Assistants）、コンピュータ装置等を用いても上述した実施の形態と同様の効果が得られる。
【００５９】
また、上述した実施の形態のリモートコントロール装置２の機能をＨＤＤレコーダに内蔵し、ＨＤＤレコーダが番組情報を取得し、ＨＤＤレコーダのユーザ・インタフェース（ＵＩ：User Interface）画面に番組表を表示して予約設定を行うようにしてもよい。また、ＨＤＤレコーダ１のネットワークインタフェース部１４からネットワークを介して接続したテレビジョン受像機等の外部表示装置に番組表を表示させ、リモートコントロール装置２で予約設定するようにしてもよい。また、リモートコントロール装置自体がＥＰＧ等の番組情報を取得し、ユーザはこの番組情報を選択することで予約設定することも出来る。また、リモートコントロール装置に番組を表す識別コードを入力することで予約設定することも出来る。
【００６０】
また、上述した実施の形態では、メッセージエリア２１ｉに、「排他制御中」と表示されるようにしたが、仮予約中であることを表すメッセージとして「仮予約中」と表示したり、他の機器からの操作を受け付けないマークを表示するようにしてもよい。
【００６１】
また、上述した実施の形態では、テレビジョン放送の録画予約について説明したが、ラジオ放送の記録に用いるようにしてもよい。事前に受信可能な番組の長さが分かれば必要記録容量と残容量を比較することができるため、適切な記録予約を行うことが可能である。この場合、仮予約コマンドのパラメータに少なくとも録音月日の開始／終了時間又は録音する放送の周波数又は記録方式のうち、少なくとも一つ以上の組合せを含むようにする。また、インターネット番組の記録に用いるようにしてもよい。
【００６２】
また、上述した実施の形態では、ＨＤＤレコーダを用いるようにしたが、ＨＤＤレコーダに限定されることなく、同様の記録機能を有する装置に適用してもよい。この場合、記録媒体についてもハードディスクドライブ以外に、例えば不揮発性のメモリ、光ディスク、磁気ディスク、磁気テープ等に記録するようにしてもよい。また、ネットワーク経由で外部に接続した記録装置に番組を記録するようにしてもよい。
【００６３】
また、上述した実施の形態では、ネットワーク３回線を有線としており、ＨＤＤレコーダ１とリモートコントロール装置２とを有線接続として説明したが、赤外線による双方向通信やアドホックによる機器間通信でも実現可能である。また、無線ＬＡＮ回線や双方向の光通信等で情報を相互に通信可能であれば、伝送手段の種別を特定するものではない。
【図面の簡単な説明】
【００６４】
【図１】本発明の一実施の形態における番組予約システムの内部構成例を示したブロック図である。
【図２】本発明の一実施の形態における番組予約システムの機能構成例を示したブロック図である。
【図３】本発明の一実施の形態における予約設定の表示処理例を示したシーケンス図である。
【図４】本発明の一実施の形態における録画予約（仮予約）画面の表示例を示した説明図である。
【図５】本発明の一実施の形態におけるハードディスクドライブの容量構成例を示した説明図である。
【図６】本発明の一実施の形態における録画予約（仮予約）画面のエラー表示例を示した説明図である。
【図７】本発明の一実施の形態における録画予約（録画可能時間）画面の表示例を示した説明図である。
【図８】本発明の他の実施の形態における録画予約（残記録容量と予想記録可能時間）画面の表示例を示した説明図である。
【図９】本発明の他の実施の形態におけるハードディスクドライブの容量構成例を示した説明図である。
【図１０】本発明の他の実施の形態における録画予約（録画可能容量）画面の表示例を示した説明図である。
【符号の説明】
【００６５】
１…ＨＤＤレコーダ、２…リモートコントロール装置、１１…表示部、１２…操作部、１３…マイクロコンピュータ、１３ａ…残容量計算部、１３ｂ…予約可否判定部、１４…ネットワークインタフェース部、１５…メモリ、１６…ハードディスクドライブ、１６ａ…コンテンツ管理部、１６ｂ…予約リスト管理部、１７…カレンダ時計部、２１…表示部、２２…操作部、２３…マイクロコンピュータ、２３ａ…予約パラメータリスト取得部、２３ｂ…予約設定表示／入力部、２３ｃ…仮予約リクエスト部、２３ｄ…予約リクエスト部、２４…ネットワークインタフェース部、２５…メモリ、１６０…総容量、１６１…記録済み容量、１６２…登録済み予約の必要記録容量、１６３…仮予約必要記録容量、１６４…登録済み予約実行後の残記録可能容量、１６５…残記録可能容量、１６６…仮予約実行後の残記録可能容量、１６７…全予約実行後の残記録可能容量
【図１】
0004622815.tif 000002
【図２】
0004622815.tif 000003
【図３】
0004622815.tif 000004
【図４】
0004622815.tif 000005
【図５】
0004622815.tif 000006
【図６】
0004622815.tif 000007
【図７】
0004622815.tif 000008
【図８】
0004622815.tif 000009
【図９】
0004622815.tif 000010
【図１０】
0004622815.tif 000011